(57)【要約】      （修正有）【課題】照明装置の構造を提供する。【解決手段】照明ユニット２０は互いに積み重ね、中心柱１０をこれら互いに積み重ねた照明ユニット２０を通して、且つ相対して回転できる。中心柱１０は電力を照明ユニット２０に送ることができ、一つの照明ユニット２０に一つのケースと一つの発光部品を具有し、該ケースは更に第一導電部品、第二導電部品及び一つの定位方法を具有する。該定位方法は、二つの相隣する照明ユニット２０が該中心柱１０を軸心として、第一スタッキング位置と第二スタッキング位置の間で往復回転するよう制御することができる。該第二スタッキング位置にある時、二つの相隣する照明ユニット２０の第一導電部品は互いに接触導電し、第二導電部品は互いに接触導電することで発光部品を点灯することができ、それにより形状を変えられると同時に光度をコントロールできる照明装置の構造を提供する。【選択図】図１
0003179978.tif 000002
【実用新案登録請求の範囲】
【請求項１】
中心柱及び少なくとも二つの照明ユニットを含み、
該中心柱は一つの導電コードを具有し、電源と電気接続し、それによって電気を送り、
該照明ユニット同士を互いに積み重ね、一つの照明ユニットに一つのケースとケースに設置する一つの発光部品を具有し、該ケースに一つの穴、第一導電部品、第二導電部品及び一つの定位方法を具有し、
該第一導電部品と該第二導電部品は該発光部品と電気接続し、少なくとも一つの照明ユニットの第一導電部品と第二導電部品はそれぞれ中心柱が提供する電力と電気接続し、該穴に中心柱を挿入し、且つケースは中心柱の周りで回転することができ、
該定位方法は、二つの相隣する照明ユニットが該中心柱を軸心として、互いに相対する第一スタッキング位置と、互いに相対する第二スタッキング位置の間で往復回転するよう制御することができ、該第二スタッキング位置にある時、二つの相隣する照明ユニットの第一導電部品は互いに接触導電でき、二つの相隣する照明ユニットの第二導電部品は互いに接触導電することができ、電力を第二スタッキング位置にある二つの相隣する照明ユニットに送り、発光部品が点灯することを特徴とする照明装置の構造。
【請求項２】
前記中心柱は照明ユニットの中心位置から複数の互いに積み重ねた照明ユニットを通ることを特徴とする請求項１記載の照明装置の構造。
【請求項３】
前記中心柱は照明ユニットの偏心位置から複数の互いに積み重なる照明ユニットを通ることを特徴とする請求項１記載の照明装置の構造。
【請求項４】
前記第一スタッキング位置にある二つの相隣する照明ユニットは互いに整列し、第二スタッキング位置では二つの相隣する照明ユニットは互いに整列しないことを特徴とする請求項１記載の照明装置の構造。
【請求項５】
前記ケースは一つの上蓋及び一つの下蓋を含み、該上蓋は透光或いは不透光の部品とすることができ、上蓋の中心柱が通過する位置に一つの上穴を開け、下蓋の中心柱が通過する位置に一つの下穴を開け、該下穴の内側の穴壁にギア状の突起を具有し、該軸カバーに穴を設け、
該軸カバーの外周縁にギア状突起と噛合するギア状の表面を具有し、該発光部品を回路を具有するライトパネルに設置し、該ライトパネルを下蓋に設置することができ、該発光部品の発光する片側に透光パネルを設置することを特徴とする請求項１記載の照明装置の構造。
【請求項６】
前記第一導電部品と第二導電部品は穴の相対する両サイドの壁面に設置し、該第一導電部品と第二導電部品はいずれも導電性を具有し、
第一導電部品は穴のサイド壁に沿って、軸方向の両サイドに向かって延伸し、第一導電部品は軸カバーの上及び下表面にそれぞれ露出してある接触ポイントを具有し、
該第二導電部品は穴のサイド壁に沿って、軸方向の両サイドに向かって延伸し、該第二導電部品は軸カバーの上及び下表面にそれぞれ露出してある接触ポイントを具有することを特徴とする請求項５記載の照明装置の構造。
【請求項７】
前記定位方法に含まれるのはガイド柱及び中心柱を円心とする曲線レールであり、
該ガイド柱は照明ユニットのケースの片側表面から、別の相隣する照明ユニットのケースの方向に向かって突出し、該曲線レールは照明ユニットのケースの相対する側の表面に設置し、
二つの相隣する照明ユニットを積み重ねる時、一つの照明ユニットのガイド柱が別の照明ユニットの曲線レールに挿入することができ、このような定位方法を用いて、二つの相隣する照明ユニットが中心柱を軸心に、第一スタッキング位置及び第二スタッキング位置の間で往復回転するのを制御することを特徴とする請求項５記載の照明装置の構造。
【請求項８】
前記発光部品はスポット型発光部品、棒状発光部品及び面型発光部品とすることを特徴とする請求項１記載の照明装置の構造。
【請求項９】
前記発光部品を該照明ユニットの片側に設置することを特徴とする請求項１記載の照明装置の構造。
【請求項１０】
前記発光部品を該照明ユニットの相対する両サイドの位置に設置することを特徴とする請求項１記載の照明装置の構造。
【請求項１１】
前記発光部品は一つ或いは数個とすることを特徴とする請求項１記載の照明装置の構造。
【考案の詳細な説明】
【技術分野】
【０００１】
本考案は照明装置の構造に関し、特に形状を変えられると同時に、照明の光度をコントロールできる照明装置の構造に関する。
【背景技術】
【０００２】
従来技術の多くの照明装置、例えばテーブルライト、壁面ライト、フロアスタンド或いはその他の類似するランプは、照明という基本機能のほかに、照明の光度を調整することもできる。従来の電力を使用する照明装置が照明光度を調整する方法としては、通常電力の強さ(例えば電流の量)を変えることで、発光部品の発光光度を変える。この方法は一つのみの発光部品(例えば電球)の照明装置によく見られる。ほかに周知の照明装置の照明光度を変える方法として用いるのは、照明装置に数個の発光部品を設置し、それらの発光部品の発光数量をコントロールする方法を通じて、照明装置の照明光度を変える。これらの方法は通常、制御回路を具有するコントローラーで実現する。
【０００３】
また、物質レベルが上がるのにつれ、照明装置は照明という主なツールとして用いるほか、造形デザインのあるものを装飾品とすることもできる。従来技術の装飾効果のある照明装置は、通常特殊な形状のランプシェード或いはランプ本体が装飾効果をもたらす。通常の照明装置、例えばテーブルライト、壁面ライト及びフロアスタンドなど、発光部品の外回りに光を通し、且つ特殊な形状或いは造形を具有するランプシェードを設置する。また、照明を主な用途とせず、装飾或いは広告が主な機能とする発光設備があり、それらは多くの小型発光部品(例えば発光ダイオード-ＬＥＤ、或いは小型電球)を使用し、文字或いは特殊な図案に並べた上で、制御回路と合わせて点滅或いはマーキーのような動きのあるビジュアル効果を出すことで装飾或いは広告の目的に達する。上記の従来技術の照明装置は装飾効果を具有するが、それらの造形或いは形状はいずれも固定した形であり、また、造形或いは形状を変更することができないことを鑑みて、更なる改善が必要であった。
【先行技術文献】
【特許文献】
【０００４】
【特許文献１】特開２００８−２９３９４６号公報
【考案の概要】
【考案が解決しようとする課題】
【０００５】
前記公知構造の欠点を解決するため、本考案は形状を変えられると同時に、光度をコントロールできる照明装置を提供することを主な課題とし、更に本考案では、形状を変えて異なるビジュアルの造形にすることができる照明装置の構造を提供することをもう一つの課題とする。
【課題を解決するための手段】
【０００６】
上述の目的を解決するために、本考案は照明装置の構造を提供するものである。それに含まれるのは中心柱及び少なくとも二つの照明ユニットである。
【０００７】
該中心柱は一つの導電コードを具有して電源と電気接続し、それによって電気を送る。該少なくとも二つの照明ユニットらは互いに積み重ね、如何なる一つの照明ユニットに一つのケースとケースに設置する一つの発光部品を具有する。該ケースに一つの穴、第一導電部品、第二導電部品及び一つの定位方法を具有する。第一導電部品と第二導電部品が発光部品と電気接続し、少なくとも一つの照明ユニットの第一導電部品と第二導電部品はそれぞれ中心柱の導電回路と電気接続する。穴に中心柱を挿入し、且つケースは中心柱の周りで回転することができる。該定位方法は如何なる二つの相隣する照明ユニットが中心柱を軸心に、互いに相対する第一スタッキング位置及び互いに相対する第二スタッキング位置の間で往復回転するのを制御することができる。第二スタッキング位置にある時、如何なる二つの相隣する照明ユニットの第一導電部品と互いに接触して導電することができる。第二導電部品は互いに接触して導電することができ、それにより電力を第二スタッキング位置にある二つの相隣する照明ユニットに送ることで、発光部品を点灯する。
【０００８】
本考案の照明装置の一つの実施例構造に基づき、複数の照明ユニットを具有し、全ての照明ユニットを第二スタッキング位置に回転すると、立体的な螺旋状の照明装置を構成することができる。
【０００９】
本考案の照明装置の一つの実施例構造に基づき、該中心柱は照明ユニットの中心位置から複数の互いに積み重ねた照明ユニットを通る。
【００１０】
本考案の照明装置の一つの実施例構造に基づき、該中心柱は照明ユニットの偏心位置から複数の互いに積み重なる照明ユニットを通る。
【００１１】
本考案の照明装置の一つの実施例構造に基づき、第一スタッキング位置にある如何なる二つの相隣する照明ユニットは互いに整列(完全に重なる状態)し、第二スタッキング位置では如何なる二つの相隣する照明ユニットは互いに整列しない(完全に重ならない状態)。
【００１２】
本考案の照明装置の一つの実施例構造に基づき、該発光部品は照明ユニットの片側に設置する。
【００１３】
本考案の照明装置の一つの実施例構造に基づき、該発光部品は照明ユニットの相対する両サイドに設置する。
【００１４】
本考案の照明装置の一つの実施例構造に基づき、該定位方法に含まれるのはガイド柱及び中心柱を円心とする曲線レールである。該ガイド柱は照明ユニットのケースの片側表面から、別の相隣する照明ユニットのケースの方向に向かって突出し、該曲線レールは照明ユニットのケースの相対する側の表面(ガイド柱を具有する相対側の表面と相対する)に設置する。如何なる二つの相隣する照明ユニットを積み重ねる時、一つの照明ユニットのガイド柱が別の照明ユニットの曲線レールに挿入することができる。
【００１５】
前記の本考案の内容で分かるように、本考案の照明装置は数個を互いに積み重ねるのを利用し、且つ中心柱を軸心として互いに相対する第一スタッキング位置と、互いに相対する第二スタッキング位置の間で往復回転する照明ユニットであり、形状及び造形を変えられる照明装置に構成する。更に各照明ユニットの第一導電部品と第二導電部品の相対位置の設置により、如何なる二つの相隣する照明ユニットが相対して第二スタッキング位置にまで回転して始めてから、如何なる二つの相隣する照明ユニットの第一導電部品が互いに接触して導電し、同時に如何なる二つの相隣する照明ユニットの第二導電部品が互いに接触して導電することで、発光部品が点灯する。ユーザーは第二スタッキング位置に回転される照明ユニットの数及び、発光する照明ユニットの数をコントロールできることで、形状を変えられると同時に、光度をコントロールできる照明装置を提供する。
【考案の効果】
【００１６】
本考案は中心柱及び照明ユニットを含み、該照明ユニット同士を互いに積み重ね、それらに中心柱を通して、相対して回転できるようにする。中心柱は電力を照明ユニットに送ることができ、如何なる一つの照明ユニットに一つのケースと一つの発光部品を具有し、該ケースは更に第一導電部品、第二導電部品及び一つの定位方法を具有する。該定位方法は、如何なる二つの相隣する照明ユニットが該中心柱を軸心として、第一スタッキング位置と第二スタッキング位置の間で往復回転するよう制御することができる。該第二スタッキング位置にある時、如何なる二つの相隣する照明ユニットの第一導電部品は互いに接触導電し、第二導電部品は互いに接触導電することで発光部品を点灯することができ、それにより形状を変えられると同時に光度をコントロールできる照明装置の構造を提供する。
【図面の簡単な説明】
【００１７】
【図１】本考案の実施例構造図であり、壁面ライトの照明装置として点灯した際の立体構造図である。
【図２】本考案の実施例構造図であり、照明ユニットの第一実施例構造の分解図である。
【図３】本考案の実施例構造図であり、図２の実施例構造を別の角度から見た略図である。
【図４】本考案の実施例構造図であり、二つの相隣する照明ユニットの接続関係を示す。
【図５】本考案の動作略図であり、二つの相隣する照明ユニットを第二スタッキング位置にまで回転する状況を示す。
【図６】図１の実施例構造の動作略図であり、全部の照明ユニットを第一スタッキング位置にまで回転する状況を示す。
【図７】本考案の第２実施例の構造図であり、照明ユニットの第二実施例の構造を表す。
【図８】本考案の第２実施例の構造図であり、テーブルライトの照明装置として、全て点灯した際の立体構造である。
【考案を実施するための形態】
【００１８】
本考案による照明装置の構造を明確に示すために図に沿って詳細な説明を行う。
【００１９】
図１に示すように、本考案に含まれるのは中心柱１０及び少なくとも二つの照明ユニット２０、２０ａである。
【００２０】
該中心柱１０は一つの導電コード(例えば電源コード)を具有して電源と電気接続(図に未掲載)し、それによって電気を送る。
【００２１】
該少なくとも二つの照明ユニット２０と照明ユニット２０ａを互いに積み重ね、中心柱１０を軸心として互いに相対する第一スタッキング位置(図６を参照)と、互いに相対する第二スタッキング位置(図１を参照)の間で往復して回転することで、形状及び造形を変更できる照明装置を構成する。
【００２２】
本考案の照明装置の一つの実施例構造に基づき、第一スタッキング位置にある如何なる二つの相隣する照明ユニット２０、２０ａは互いに整列(完全に重なる状態)し、第二スタッキング位置では如何なる二つの相隣する照明ユニット２０、２０ａは互いに整列しない(完全に重ならない状態)。
【００２３】
如何なる一つの照明ユニット２０の第一実施例の構造は、図５に示すように、照明ユニット２０に一つのケース３０とケース３０に設置する一つの発光部品４０を具有する。該ケース３０に一つの穴５０、第一導電部品Ｅ１１、第二導電部品Ｅ１２及び一つの定位方法を具有する。
【００２４】
図２に示すのは、本考案の照明ユニット２０の一種類の構造の具体的詳細構造である。発光部品４０を回路(プリント回路など)を具有するライトパネル４１に設置する。発光部品４０は発光ダイオード(ＬＥＤ)或いは小型電球などのスポット型発光部品とすることができ、数個の発光ダイオードを配列して構成する面型発光部品とすることもできる。発光部品４０は蛍光灯などの棒状発光部品とすることもでき、発光部品４０の数は一つ或いは数個とすることができる。発光部品４０はライトパネル４１の回路を通じて第一導電部品Ｅ１１及び第二導電部品Ｅ１２と電気接続し、電力を供給するルートを形成する。
【００２５】
図２に示す実施例では、ケース３０は一つの上蓋３１及び一つの下蓋３２を含む。上蓋３１は透光或いは不透光の部品とすることができ、下蓋３２は押出アルミフレームで作ることができ、発光部品４０の放熱を助ける。前記ライトパネル４１を下蓋３２に設置することができ、且つ発光部品４０の発光する片側に透光パネル４２を設置する。(該透光パネル４２は透明とすることができ、光を拡散、或いは光を均光にする如何なる一つの効果を具有する透光パネル４２である)。
【００２６】
穴５０の役割は、中心柱１０を通し、且つ照明ユニット２０が該中心柱１０を軸心として回転できるようにする。実際に製造及び組立するなどの要素に基づき、図２に示す実施例の構造にある穴５０は一つの軸カバー５１に設け、上蓋３１の中心柱１０が通過する位置に一つの上穴３１０を開け、下蓋３２の中心柱１０が通過する位置に同様に一つの下穴３２０を開ける。下穴３２０の内側の穴壁にギア状部３２１の突起を具有し、軸カバー５１の外周縁にギア状部３２１突起と噛合するギア状の表面５１０を具有する。軸カバー５１の上表面に二つの上向きに突起する結合鞘５２ａ及び結合鞘５２ｂを具有し、軸カバー５１の底面に二つのピンホール５３ａ、５３ｂを具有し(図３を参照)、軸カバー５１を前記の下穴３２０に設置し、更にボルト４３、止め金或いはその他同等の結合方法を用いて、下蓋３２と透光パネル４２を一緒に上蓋３１に設置する。
【００２７】
本考案の一つの実施例の基づき、当該中心柱１０は照明ユニット２０、２０ａの中心位置から複数の互いに積み重ねた照明ユニット２０、２０ａを通る。本考案の別の実施例に基づき、当中心柱１０は照明ユニット２０、２０ａの偏心位置から複数の互いに積み重なる照明ユニット２０、２０ａを通ることもできる。  
【００２８】
本考案の一つの実施例に基づき、第一導電部品Ｅ１１と第二導電部品Ｅ１２は接触する位置或いは回路配置の方法を利用して直接発光部品４０と電気接続することができる。別の実施例では、第一導電部品Ｅ１１と第二導電部品Ｅ１２は回路配置の方法を利用し、軸カバー５１(軸カバー５１を二つの動力伝達経路を具有するガイド部品にデザインする)を通じて、間接的に発光部品４０と電気接続する。
【００２９】
図２に示すのは、第一導電部品Ｅ１１と第二導電部品Ｅ１２の一つの実施例の構造である。第一導電部品Ｅ１１と第二導電部品Ｅ１２は穴５０の相対する両サイドの壁面に設置し、第一導電部品Ｅ１１と第二導電部品Ｅ１２はいずれも導電性を具有し、導電する金属片で作ることができる。第一導電部品Ｅ１１は穴５０のサイド壁に沿って、軸方向の両サイドに向かって延伸し、第一導電部品Ｅ１１は軸カバー５１の上及び下表面にそれぞれ露出してある接触ポイントを具有する。同様に第二導電部品Ｅ１２は穴５０のサイド壁に沿って、軸方向の両サイドに向かって延伸し、第二導電部品Ｅ１２は軸カバー５１の上及び下表面にそれぞれ露出してある接触ポイントを具有する。このような露出してある接触ポイントを通じて、如何なる二つの相隣する照明ユニット２０と照明ユニット２０ａが前記の第二スタッキング位置にある時、照明ユニット２０の第一導電部品Ｅ１１は照明ユニット２０ａの第一導電部品Ｅ２１と互いに接触して導電することができる(図４を参照)。照明ユニット２０の第二導電部品Ｅ１２と照明ユニット２０ａの第二導電部品Ｅ２２は互いに接触して導電することができる。
【００３０】
本考案の一つの実施例に基づき、少なくとも一つの照明ユニット２０の第一導電部品Ｅ１１と第二導電部品Ｅ１２はそれぞれ中心柱１０の導電回路と電気接続する。穴３０に中心柱１０を挿入し、且つケース３０は中心柱１０の周りで回転することができる。別の照明ユニット２０が相隣し、且つ互いに積み重ねる照明ユニット２０ａが中心柱１０を中心に相対する第二スタッキング位置にまで回転する時(図５を参照)、照明ユニット２０の第一導電部品Ｅ１１と照明ユニット２０ａの第一導電部品Ｅ２１は互いに接触して導電することができる(図４を参照)。照明ユニット２０の第二導電部品Ｅ１２と照明ユニット２０ａの第二導電部品Ｅ２２は互いに接触導電することができる。このようなデザインを通じて、中心柱１０から送られる電力は、照明ユニット２０の第一導電部品Ｅ１１と第二導電部品Ｅ１２を通じて照明ユニット２０ａに送られて照明ユニット２０ａの発光部品４０を光らせる。
【００３１】
本考案の照明装置の一つの実施例構造に基づき、当該定位方法は図２及び図３に示す通りである。それに含まれるのは一つのガイド柱６０及び中心柱１０を円心とする曲線レール７０である。該ガイド柱６０は照明ユニット２０のケースの(例えば上ケース３１)片側表面から、別の相隣する照明ユニット２０ａのケース３０の方向に向かって突出し、該曲線レール７０は照明ユニット２０のケース３０の相対する側の表面(ガイド柱６０と相対する側の表面、例えば下ケース３２の表面)に設置する。如何なる二つの相隣する照明ユニット２０、２０ａを積み重ねる時、一つの照明ユニット２０のガイド柱６０が別の照明ユニット２０ａの曲線レール７０に挿入することができる。このような定位方法を用いて、如何なる二つの相隣する照明ユニット２０、２０ａが中心柱１０を軸心に、第一スタッキング位置及び第二スタッキング位置の間で往復回転するのを制御する。
【００３２】
本考案の一つの実施例に基づき、一つの電源スイッチ(手動スイッチ或いは光センサースイッチとすることができる)を通じて、照明ユニット２０と中心柱１０の間にある電力接続のオンオフを行なう。照明ユニット２０と中心柱１０に提供する電力が繋がると、照明ユニット２０の発光部品４０は点灯する。一方、他の照明ユニット２０ａは、第二スタッキング位置にまで回転するか否かで、照明に必要な電力を獲得する。ユーザーは第二スタッキング位置に回転する照明ユニット２０ａの数及び、発光する照明ユニット２０ａの数をコントロールすることができることで、形状を変えられると同時に、光度をコントロールできる照明装置を提供する。
【００３３】
本考案の一つの実施例に基づき、照明装置は図１に示すように、壁面に設置して壁面ライトとすることができ、図８に示すように、テーブルライトとして使用することもできる。このように複数個の照明ユニット２０、２０ａを具有し、全ての照明ユニット２０、２０ａを第二スタッキング位置に回転すると、立体的な螺旋状の照明装置を構成する。図６に示すように、全ての照明ユニット２０、２０ａを第一スタッキング位置に回転すると、光を消灯し別の造形の照明装置となる。仮に全ての照明ユニット２０、２０ａのケース３０の形状を例えば形状のデザイン或いは図案を描くなど、更に工夫を加えると、本考案のような形状を変えられると同時に光度をコントロールできる照明装置は更に豊かな変化と多様性を持つようになる。
【００３４】
特に前記の方法では、照明ユニット２０に光センサースイッチを設置すると、周りが暗くなるとき、自動的に明かりがつくため、変形できると同時に、光度もコントロールできる自動タイプのナイトライトとなる。
【００３５】
本考案の照明装置の一つの実施例構造に基づき、図２に示すように、当該発光部品４０は照明ユニット２０の片側に設置し、図７に示すように、発光部品４０は一つ、或いは複数個とすることができる。
【００３６】
本考案の照明装置の一種の実施例構造に基づき、図７に示すように、該発光部品４０は照明ユニット２０の相対する両サイドの位置に設置することができる。つまり、発光部品４０は照明ユニット２０の上蓋３１(透光できるものを必須)の片側から発光することができ、下蓋３２の片側から発光することもできる。
【００３７】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００３８】
１０  中心柱
２０  照明ユニット
２０ａ  照明ユニット
３０  ケース
３１  上蓋
３１０  上穴
３２  下蓋
３２０  下穴
３２１  ギア状部
４０  発光部品
４１  ライトパネル
４２  透光パネル
４３  ボルト
５０  穴
５１  軸カバー
５１０  ギア状表面
５２ａ  結合鞘
５２ｂ  結合鞘
５３ａ  ピンホール
５３ｂ  ピンホール
６０  ガイド柱
７０  曲線レール
Ｅ１１  第一導電部品
Ｅ２１  第一導電部品
Ｅ１２  第二導電部品
Ｅ２２  第二導電部品
【図１】
0003179978.tif 000003
【図２】
0003179978.tif 000004
【図３】
0003179978.tif 000005
【図４】
0003179978.tif 000006
【図５】
0003179978.tif 000007
【図６】
0003179978.tif 000008
【図７】
0003179978.tif 000009
【図８】
0003179978.tif 000010
【手続補正書】
【提出日】平成24年9月24日(2012.9.24)
【手続補正１】
【補正対象書類名】実用新案登録請求の範囲
【補正対象項目名】請求項１
【補正方法】変更
【補正の内容】
【請求項１】
中心柱及び少なくとも二つの照明ユニットを含み、
該中心柱は一つの導電コードを具有し、電源と電気接続し、それによって電気を送り、
該照明ユニット同士を互いに積み重ね、一つの照明ユニットに一つのケースとケースに設置する一つの発光部品を具有し、該ケースに一つの穴、第一導電部品、第二導電部品を有し、これらが所定の定位方法で配置されていることを特徴とし、該定位方法とは、
該第一導電部品と該第二導電部品は該発光部品と電気接続し、少なくとも一つの照明ユニットの第一導電部品と第二導電部品はそれぞれ中心柱が提供する電力と電気接続し、該穴に中心柱を挿入し、且つケースは中心柱の周りで回転することができ、
各々相隣する照明ユニットは、互いに整列して完全に重なる第一スタッキング位置と、互いに整列せずに完全に重ならない螺旋状の第二スタッキング位置と、を取ることができ、
該第二スタッキング位置の時、二つの相隣する照明ユニットの第一導電部品は互いに接触導電でき、二つの相隣する照明ユニットの第二導電部品は互いに接触導電することができ、電力を第二スタッキング位置にある二つの相隣する照明ユニットに送り、発光部品が点灯することを特徴とする照明装置の構造。
【手続補正２】
【補正対象書類名】実用新案登録請求の範囲
【補正対象項目名】請求項５
【補正方法】変更
【補正の内容】
【請求項５】
前記ケースは一つの上蓋及び一つの下蓋を含み、該上蓋は透光或いは不透光の部品とすることができ、上蓋の中心柱が通過する位置に一つの上穴を開け、下蓋の中心柱が通過する位置に一つの下穴を開け、該下穴の内側の穴壁にギア状の突起を具有し、軸カバーに穴を設け、
該軸カバーの外周縁にギア状突起と噛合するギア状の表面を具有し、該発光部品を回路を具有するライトパネルに設置し、該ライトパネルを下蓋に設置することができ、該発光部品の発光する片側に透光パネルを設置することを特徴とする請求項１記載の照明装置の構造。